(57)【要約】 製氷システム（１００）は、回転可能な製氷トレイ（１７１）と、製氷トレイ（１７１）に水を注ぐための少なくとも１つの注水ノズル（１３０Ｌ，１３０Ｒ）と、を備える。少なくとも１つの注水ノズル（１３０Ｌ，１３０Ｒ）の吹き出し口（１３１）は、製氷トレイ（１７１）の回転時の最高到達点Ｘよりも低い位置に形成され、製氷トレイ（１７１）の斜め上から製氷トレイ（１７１）の中央に向けて斜め方向に水を出力する。
2018163453.tif 000002
【特許請求の範囲】
【請求項１】
回転可能な製氷トレイと、
前記製氷トレイに水を注ぐための少なくとも１つの注水ノズルと、を備え、
前記少なくとも１つの注水ノズルの吹き出し口は、前記製氷トレイの回転時の最高到達点よりも低い位置に形成され、前記製氷トレイの斜め上から前記製氷トレイの中央に向けて斜め方向に水を出力する、製氷システム。
【請求項２】
前記注水ノズルは、流路の少なくとも一部に狭い部分が形成されている、請求項１に記載の製氷システム。
【請求項３】
前記注水ノズルは、前記水を斜め方向に出力するための第１の面と、前記水を前記第１の面に向けて誘導しつつ前記狭い部分を形成するための第２の面とを含む、請求項２に記載の製氷システム。
【請求項４】
前記第１の面と前記第２の面とが底面視において重ならないように形成されている、請求項３に記載の製氷システム。
【請求項５】
前記注水ノズルに水を供給するための給水部をさらに備え、
前記給水部には、平面視において前記注水ノズルから離れた位置に、水を注ぎ入れるための注水部が形成される、請求項１から４のいずれか１項に記載の製氷システム。
【請求項６】
前記少なくとも１つの注水ノズルは、複数の注水ノズルを含み、
前記給水部には、前記注水部から前記複数の注水ノズルの間に一時的に水をためることができるエリアが形成される、請求項５に記載の製氷システム。
【請求項７】
前記給水部には凸部が形成され、前記凸部の上面には前記注水部が形成され、当該凸部の側面は前記複数のノズルのそれぞれへ水を誘導するための複数の溝部を形成し、前記複数の溝部の各々は前記注水ノズルへ向かうにつれてその幅が狭く、高さが低く形成されている、請求項６に記載の製氷システム。
【発明の詳細な説明】
【技術分野】
【０００１】
本発明の一態様は、冷凍庫などに搭載される製氷システムの技術に関する。
【背景技術】
【０００２】
氷を製造するための製氷システムが知られている。例えば、特開２００５−２９１６８２号公報（特許文献１）には、冷凍冷蔵庫及び冷凍室扉及び自動製氷機が開示されている。特許文献１の冷凍冷蔵庫は、前面に開口部を有すると共に他の面は断熱され、内部に氷を作る製氷皿が配置された冷凍室と、この冷凍室の開口部を塞ぐように設けられ、開口部の一方の縦辺を軸に回転し開口部を開閉する冷凍室扉と、この冷凍室扉の冷凍室側に着脱自在に設けられ、冷凍室扉を閉めた状態で製氷皿の下方に位置し、氷を収納する貯氷ケースとを備えたことを特徴とする。また、特開平９−８９４２６号公報（特許文献２）には、製氷皿と貯氷箱とを一体的に移動可能とする冷蔵庫が開示されている。
【先行技術文献】
【特許文献】
【０００３】
【特許文献１】特開２００５−２９１６８２号公報
【特許文献２】特開平９−８９４２６号公報
【発明の概要】
【発明が解決しようとする課題】
【０００４】
特許文献２のように手動で製氷皿に注水する構成とした場合は、ユーザが注水を急いだときなど、製氷皿から注水した水が溢れたり飛び散ったりすることがある。貯氷部が製氷部の下に位置した状態でユーザが製氷部に注水すると、溢れたり飛び散ったりした水が貯氷部に入り、貯氷部に貯まったり貯氷部の氷を溶かしたりするおそれがある。【０００５】
そこで、本発明の一態様は、手動で製氷部に注水する構成であっても、注水した水が溢れたり飛び散ったりし難くなり、利便性の高い製氷システムを提供することを目的とする。
【課題を解決するための手段】
【０００６】
この発明のある態様に従うと、製氷システムが提供される。製氷システムは、回転可能な製氷トレイと、製氷トレイに水を注ぐための少なくとも１つの注水ノズルと、を備える。少なくとも１つの注水ノズルの吹き出し口は、製氷トレイの回転時の最高到達点よりも低い位置に形成され、製氷トレイの斜め上から製氷トレイの中央に向けて斜め方向に水を出力する。【０００７】
好ましくは、注水ノズルは、流路の少なくとも一部に狭い部分が形成されている。【０００８】
好ましくは、注水ノズルは、水を斜め方向に出力するための第１の面と、水を第１の面に向けて誘導しつつ狭い部分を形成するための第２の面とを含む。【０００９】
好ましくは、第１の面と第２の面とが底面視において重ならないように形成されている。【００１０】
好ましくは、製氷システムは、注水ノズルに水を供給するための給水部をさらに備える。給水部には、平面視において注水ノズルから離れた位置に、水を注ぎ入れるための注水部が形成される。【００１１】
好ましくは、少なくとも１つの注水ノズルは、複数の注水ノズルを含む。給水部には、注水部から複数の注水ノズルの間に一時的に水をためることができるエリアが形成される。【００１２】
好ましくは、給水部には凸部が形成される。凸部の上面には注水部が形成される。当該凸部の側面は複数のノズルのそれぞれへ水を誘導するための複数の溝部を形成する。複数の溝部の各々は注水ノズルへ向かうにつれてその幅が狭く、高さが低く形成されている。
【発明の効果】
【００１３】
以上のように、本発明の一態様によると、製氷部へ注水した水が溢れたり飛び散ったりし難くすることができ、利便性の高い製氷システムを提供できる。
【図面の簡単な説明】
【００１４】
【図１】第１の実施の形態にかかる製氷システム１００の、注水カップ１９０と前カバー１６０とを取り付けた状態の正面斜視図である。
【図２】第１の実施の形態にかかる製氷システム１００の、注水カップ１９０を取り付けて、前カバー１６０を取り外した状態の正面斜視図である。
【図３】第１の実施の形態にかかる製氷システム１００の、前カバー１６０を取り付けて、注水カップ１９０を取り外した状態の側面断面図である。
【図４】第１の実施の形態にかかる製氷トレイ１７１を示す斜視図である。
【図５】第１の実施の形態にかかる注水カップ１９０を載置した状態の製氷システム１００を示す平面図と正面断面図である。
【図６】第１の実施の形態にかかる注水カップ１９０を取り外した状態の製氷システム１００を示す平面図と正面断面図である。
【図７】第１の実施の形態にかかる給水部１２０を示す斜視図である。
【図８】第１の実施の形態にかかる給水部１２０における水の流れを示す斜視図である。
【図９】第１の実施の形態にかかる注水ノズル１３０Ｌの下部を示す斜視図と断面図である。
【図１０】第２の実施の形態にかかる注水ノズル１３０Ｌの下部を示す斜視図と断面図である。
【図１１】第３の実施の形態にかかる注水ノズル１３０Ｌの下部を示す断面図である。
【図１２】第４の実施の形態にかかる給水皿１２０Ｂの斜視図と平面図である。
【図１３】第５の実施の形態にかかる給水皿１２０Ｃの斜視図である。
【図１４】第６の本実施の形態にかかる給水皿１２０Ｄの斜視図である。
【発明を実施するための形態】
【００１５】
以下、図面を参照しつつ、本発明の各実施形態について説明する。以下の説明では、同一の部品には同一の符号を付してある。それらの名称および機能も同じである。したがって、それらについての詳細な説明は繰り返さない。
＜第１の実施形態＞
＜製氷システムの全体構成＞
【００１６】
まず、図１〜図３を参照して、本実施の形態にかかる製氷システム１００の全体構成について説明する。なお、図１は、本実施の形態にかかる製氷システム１００の、注水カップ１９０と前カバー１６０とを取り付けた状態の正面斜視図である。図２は、本実施の形態にかかる製氷システム１００の、注水カップ１９０を取り付けて、前カバー１６０を取り外した状態の正面斜視図である。図３は、本実施の形態にかかる製氷システム１００の、前カバー１６０を取り付けて、注水カップ１９０を取り外した状態の側面断面図である。
【００１７】
本実施の形態にかかる製氷システム１００は、冷凍庫内に載置したり・取り出したり・取り付けたり・取り外したり・予め搭載されていたりするものである。
【００１８】
製氷システム１００は、主に、下部の筐体１０２内の貯氷部１８０と、中部の筐体１０１内の製氷部１７０と、中部の筐体１０１の上面１０３に形成される給水部１２０と、を含む。そして、（１）ユーザが給水部１２０に水を注ぐと、（２）水が製氷部１７０にて製氷され、（３）氷が貯氷部１８０に収容される。
【００１９】
より詳細には、本実施の形態にかかる製氷部１７０は、主に、図４に示す製氷トレイ１７１によって構成される。本実施の形態にかかる製氷トレイ１７１に関しては、１つの縦壁１７２と複数の横壁１７３，１７３・・・とによって、複数の製氷スペース１７４，１７４・・・が形成される。
【００２０】
なお、本実施の形態にかかる製氷トレイ１７１の縦壁１７２は、その前部と後部の２か所に、溝部１７２Ｘ，１７２Ｘが形成されている。これによって、製氷トレイ１７１の水は溝部１７２Ｘ，１７２Ｘを介して縦壁１７２の右側と左側を行き来することができる。なお、製氷トレイ１７１の横壁１７３は、その全てに溝部１７３Ｘ，１７３Ｘが形成されている。このようにして、複数の製氷スペース１７４，１７４・・・に略均一に水が供給される。
【００２１】
製氷トレイ１７１は、後軸１７８が中部の筐体１０１に枢支され、操作部１７９が前カバー１６０のレバー１６１に連結される。これによって、ユーザは、製氷が完了した際に、前カバー１６０を閉じた状態で、前カバー１６０のレバー１６１を回転させることによって、製氷トレイ１７１を回転させて、製氷後の氷を貯氷部１８０に落下させることができる。
【００２２】
次に、図５〜図７を参照して、本実施の形態にかかる給水部１２０について説明する。なお、図５（Ａ）は、本実施の形態にかかる注水カップ１９０を載置した状態の製氷システム１００を示す平面図であって、図５（Ｂ）は、本実施の形態にかかる注水カップ１９０を載置した状態の製氷システム１００を示す正面断面図である。図６（Ａ）は、本実施の形態にかかる注水カップ１９０を取り外した状態の製氷システム１００を示す平面図であって、図６（Ｂ）は、本実施の形態にかかる注水カップ１９０を取り外した状態の製氷システム１００を示す正面断面図である。図７は、本実施の形態にかかる給水皿１２０Ａを示す斜視図である。
【００２３】
本実施の形態にかかる給水部１２０は、主に、水が注がれる給水皿１２０Ａと、給水皿１２０Ａの水を製氷トレイ１７１に注ぐための２本の注水ノズル１３０Ｌ，１３０Ｒとを含む。給水皿１２０Ａには、水が注がれるエリアとしての受水部１２１と、受水部１２１の水が流れ込むエリアとしての貯水部１２２と、貯水部１２２の水を２本の注水ノズル１３０Ｌ，１３０Ｒに導くための２本の溝部１２３，１２３とが形成される。
【００２４】
受水部１２１は、貯水部１２２と溝部１２３，１２３の側壁を形成するように凸形状に形成されている。受水部１２１の上面には、ユーザが水を入れるエリアであることを認識しやすいように、水を入れるべきエリアであることを示す文字や絵柄を付することが好ましい。そして、受水部１２１の上面は、注がれた水が溝部１２３，１２３ではなく、貯水部１２２に向かって流れるように、左右対称に凹形状に形成される。
【００２５】
貯水部１２２は一時的に水を貯めることができるものである。換言すれば、貯水部１２２の面積は平面視において注水ノズル１３０Ｌ，１３０Ｒの面積よりも大きい。好ましくは、貯水部１２２の面積は平面視において注水ノズル１３０Ｌ，１３０Ｒの面積の合計の５倍よりも広いこと好ましい。あるいは、貯水部１２２が満杯になった状態から、全ての水が注水ノズル１３０Ｌ，１３０Ｒから出力されるまでの時間が３秒以上１０秒以内ぐらいであることが好ましい。このように、ユーザに注がれた水の大部分が一旦貯水部１２２に貯まる構成となっているため、ユーザに注がれた水が直接注水ノズル１３０Ｌ，１３０Ｒに流入することを抑制できる。また、貯水部１２２に貯まった水は複数の注水ノズル１３０Ｌ，１３０Ｒから略均一に製氷トレイ１７１に注水される。これにより、一方の注水ノズル１３０Ｌ，１３０Ｒに水が集中することを抑制できる。
【００２６】
溝部１２３，１２３は、後方に行くにつれて、すなわち注水ノズル１３０に近づくにつれて、左右幅が狭くなる。また、溝部１２３，１２３は、後方に行くにつれて低く形成されている。このように構成されているため、水が素早く溝部１２３，１２３を通過して注水ノズル１３０Ｌ，１３０Ｒに達するようになり、給水部１２０で水が凍ってしまう可能性を低減することができる。
【００２７】
給水部１２０は、このように構成されているため、図８に示すように、ユーザが注水カップ１９０などを用いて、受水部１２１に水を注ぐと、水はその大部分が受水部１２１の凹面に沿って貯水部１２２に流れこむ。そして、当該水は、一旦貯水部１２２に滞留してから、溝部１２３，１２３をすばやく通って、注水ノズル１３０Ｌ，１３０Ｒに流れ込む。
【００２８】
なお、注水カップ１９０の１面の形状が受水部１２１の凹面に沿うように凸面を有していてもよい。この場合は、図１、２に示すように、注水カップ１９０の凸面を受水部１２１の凹面に嵌めるようにして固定することができる。したがって、使用時以外の注水カップ１９０を省スペースで安定に製氷システム１００に格納することができる。
【００２９】
左注水ノズル１３０Ｌは、製氷システム１００の上面１０３の左右中央よりも左側から下方に向けて形成される。換言すれば、左注水ノズル１３０Ｌは、給水皿１２０Ａの左右中央部よりも左側から下方に向けて形成される。注水ノズル１３０Ｌは、下方に向けて、製氷トレイ１７１が回動する際に、製氷トレイ１７１と接触しない程度まで延設される。換言すれば製氷トレイ１７１の回動軌跡Ｙの最高点Ｘよりも下方に、注水ノズル１３０Ｌの吹き出し口１３１が位置する。このように、注水ノズル１３０Ｌの下端から製氷トレイ１７１までの高さを低くすることによって、水が製氷トレイ１７１の外側に飛び散る可能性を低減することができる。
【００３０】
そして、左注水ノズル１３０Ｌは、下部の吹き出し口１３１が右方向に向けて解放されている。すなわち、注水ノズル１３０Ｌからの水が製氷トレイ１７１の左右中央部の縦壁１７２に向けて注がれるように構成されている。これによっても、水が製氷トレイ１７１の外側に飛び散る可能性を低減することができる。
【００３１】
ここで、図９（Ａ）は、本実施の形態にかかる注水ノズル１３０Ｌの吹き出し口１３１近傍を示す斜視図であって、図９（Ｂ）は注水ノズル１３０Ｌの吹き出し口１３１近傍を示す断面図である。図９（Ａ）および（Ｂ）に示すように、注水ノズル１３０Ｌは、その下部に吹き出し口１３１を構成する底面１３２が形成される。本実施の形態においては、当該底面１３２によって、注水ノズル１３０の中を上方から略垂直に流れ落ちてくる水を右方向へ吹き出させる。
【００３２】
底面１３２が、底面視において注水ノズル１３０の内側に入り込んでくることによって、注水ノズル１３０の少なくとも一部の流路面積、本実施の形態においては注水ノズル１３０の吹き出し口１３１の広さを狭めることができる。その結果、製氷トレイ１７１に注がれる水の量を制限して、当該水が製氷トレイ１７１に一気に注ぎ込まれて製氷トレイ１７１の外側に飛び散る可能性を低減することができる。
【００３３】
なお、同様に、右注水ノズル１３０Ｒは、製氷システム１００の上面１０３の左右中央よりも右側から下方に向けて形成される。換言すれば、右注水ノズル１３０Ｒは、給水皿１２０Ａの左右中央部よりも右側から下方に向けて形成される。注水ノズル１３０Ｒは、下方に向けて、製氷トレイ１７１が回動する際に、製氷トレイ１７１と接触しない程度まで延設される。換言すれば製氷トレイ１７１の回動軌跡Ｙの最高点Ｘよりも下方に、注水ノズル１３０Ｒの吹き出し口１３１が位置する。このように、注水ノズル１３０Ｒの下端から製氷トレイ１７１までの高さを低くすることによって、水が製氷トレイ１７１の外側に飛び散る可能性を低減することができる。
【００３４】
そして、右注水ノズル１３０Ｒは、下部の吹き出し口１３１が左方向に向けて解放されている。すなわち、注水ノズル１３０Ｒからの水が製氷トレイ１７１の左右中央部の縦壁１７２に向けて注がれるように構成されている。これによっても、水が製氷トレイ１７１の外側に飛び散る可能性を低減することができる。
【００３５】
また、図９（Ａ）および（Ｂ）に示すように、注水ノズル１３０Ｒは、その下部に吹き出し口１３１を構成する底面１３２が形成される。本実施の形態においては、当該底面１３２によって、注水ノズル１３０の中を上方から略垂直に流れ落ちてくる水を左方向へ吹き出させる。
【００３６】
底面１３２が、底面視において注水ノズル１３０の内側に入り込んでくることによって、注水ノズル１３０の少なくとも一部の流路面積、本実施の形態においては注水ノズル１３０の吹き出し口１３１の広さを狭めることができる。その結果、製氷トレイ１７１に注がれる水の量を制限して、当該水が製氷トレイ１７１に一気に注ぎ込まれて製氷トレイ１７１の外側に飛び散る可能性を低減することができる。
【００３７】
そして、本実施の形態においては、注水ノズル１３０Ｌ，１３０Ｒが複数あるため、給水部１２０から製氷トレイ１７１への水の供給が素早く実行されるようになり、給水部１２０で水が凍ってしまう可能性を低減することができる。
【００３８】
なお、当然に、給水部１２０が１つの注水ノズルのみを有する構成であってもよい。
＜第２の実施形態＞
【００３９】
第１の実施の形態においては、注水ノズル１３０Ｌ，１３０Ｒは、その下端部の一部に、上方からの水を製氷トレイ１７１の左右中央部に向けて出力させるための面１３２が形成されるものであった。図１０（Ａ）は本実施の形態にかかる注水ノズル１３０Ｌの下部を示す斜視図であって、図１０（Ｂ）は注水ノズル１３０Ｌの下部を示す断面図である。図１０に示すように、本実施の形態においては、注水ノズル１３０Ｌのうちの当該面１３２と対抗する部分を第１の実施の形態のそれよりも上方まで取り除いたものである。これにより、注水ノズル１３０Ｌ，１３０Ｒの吹き出し口１３１の先端を広くすることができるので、吹き出し口１３１の先端の水の表面張力によって吹き出し口１３１が塞がれて凍結してしまうことを抑制できる。
＜第３の実施形態＞
【００４０】
図１１は本実施の形態にかかる注水ノズル１３０Ｌ，１３０Ｒの下部を示す断面図である。図１１に示すように、本実施の形態においては、注水ノズル１３０Ｌ，１３０Ｒのうちの当該面１３２と対抗する部分に、面１３２に向けて水を誘導するための面１３３が形成される。これによって、注水ノズル１３０Ｌ，１３０Ｒの上方から面１３３に向けて流れ落ちてくる水が面１３２にぶつかってから、面１３２と逆側に出力されていくようになる。
【００４１】
このように本実施の形態においては、当該底面１３２と１３３とが、底面視において注水ノズル１３０の内側に入り込んでくることによって、注水ノズル１３０の径や、注水ノズル１３０の吹き出し口１３１の広さを狭めることができる。その結果、製氷トレイ１７１に注がれる水の流れを弱くして、当該水が製氷トレイ１７１の外側に飛び散る可能性を低減することができる。
【００４２】
本実施の形態においては、底面視および平面視において、面１３２と面１３３とが重ならないように構成されているため、成型が容易になる。
【００４３】
なお、注水ノズル１３０Ｌ，１３０Ｒ内の、内径や流路面積を狭める箇所は、吹き出し口１３１近傍に限らず、吹き出し口１３１よりも上方に設けられてもよい。
＜第４の実施形態＞
【００４４】
給水皿の構成も、第１〜第３の実施の形態の物には限られない。たとえば以下のような給水皿１２０Ｂであってもよい。図１２（Ａ）は、本実施の形態にかかる給水皿１２０Ｂの斜視図であって、（Ｂ）は給水皿１２０Ｂの平面図である。図１２（Ａ）および（Ｂ）に示すように、本実施の形態においては、給水皿１２０Ｂの受水部１２１Ｂの形状が、平面視において略長方形に形成される。
＜第５の実施形態＞
【００４５】
第１〜第４の実施の形態においては、図７、図８、図１２に示すように、給水皿１２０Ａに受水部１２１としての凸部を形成し、受水部１２１に注がれた水が、受水部１２１とは逆の面、すなわち貯水部１２２の前壁、にぶつかって受水部１２１の側方の溝部１２３，１２３に向かってターンしてくる構成となっていた。しかし、別の構成であってもよい。
【００４６】
図１３は、第５の実施の形態にかかる給水皿１２０Ｃの斜視図である。本実施の形態においては、図１３に示すように、給水皿１２０Ｃが、溝部１２３，１２３を有さない形状に構成されている。つまり、貯水部１２２Ｃの真下に注水ノズル１３０Ｌ，１３０Ｒが配置されてもよい。
＜第６の実施形態＞
【００４７】
さらに、図１４は、第６の実施の形態にかかる給水皿１２０Ｄの斜視図である。本実施の形態においては、図１４に示すように、給水皿１２０Ｄが、受水部１２１Ｄとは別の凸部１２５を有してもよい。そして、凸部１２５の両側側部に注水ノズル１３０Ｌ，１３０Ｒの入り口を形成してもよい。
＜まとめ＞
【００４８】
上述の第１から第６の実施形態では、製氷システム１００が提供される。製氷システム１００は、回転可能な製氷トレイ１７１と、製氷トレイ１７１に水を注ぐための少なくとも１つの注水ノズル１３０Ｌ，１３０Ｒと、を備える。少なくとも１つの注水ノズル１３０Ｌ，１３０Ｒの吹き出し口１３１は、製氷トレイ１７１の回転時の最高到達点Ｘよりも低い位置に形成され、製氷トレイ１７１の斜め上から製氷トレイ１７１の中央に向けて斜め方向に水を出力する。
【００４９】
好ましくは、注水ノズル１３０Ｌ，１３０Ｒは、流路の少なくとも一部に狭い部分１３１が形成されている。
【００５０】
好ましくは、注水ノズル１３０Ｌ，１３０Ｒは、水を斜め方向に出力するための第１の面１３２と、水を第１の面１３２に向けて誘導しつつ狭い部分を形成するための第２の面１３３とを含む。
【００５１】
好ましくは、第１の面１３２と第２の面１３３とが底面視において重ならないように形成されている。
【００５２】
好ましくは、製氷システム１００は、注水ノズル１３０Ｌ，１３０Ｒに水を供給するための給水部１２０をさらに備える。給水部１２０には、平面視において注水ノズル１３０Ｌ，１３０Ｒから離れた位置に、水を注ぎ入れるための受水部１２１が形成される。
【００５３】
好ましくは、少なくとも１つの注水ノズル１３０Ｌ，１３０Ｒは、複数の注水ノズル１３０Ｌ，１３０Ｒを含む。給水部１２０には、受水部１２１から複数の注水ノズル１３０Ｌ，１３０Ｒの間に一時的に水をためることができるエリア１２２が形成される。
【００５４】
好ましくは、給水部１２０には凸部が形成される。凸部の上面には受水部１２１が形成される。当該凸部の側面は複数のノズル１３０Ｌ，１３０Ｒのそれぞれへ水を誘導するための複数の溝部１２３，１２３を形成する。複数の溝部１２３，１２３の各々は注水ノズル１３０Ｌ，１３０Ｒへ向かうにつれてその幅が狭く、高さが低く形成されている。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００５６】
１００    ：製氷システム
１０３Ｌ  ：注水ノズル
１２０    ：給水部
１２０Ａ  ：給水皿
１２０Ｂ  ：給水皿
１２０Ｃ  ：給水皿
１２０Ｄ  ：給水皿
１２１    ：受水部
１２２    ：貯水部
１２３Ｂ  ：受水部
１２３    ：溝部
１２５    ：凸部
１３０    ：注水ノズル
１３０Ｌ  ：左注水ノズル
１３０Ｒ  ：右注水ノズル
１３１    ：吹き出し口
１３２    ：第１の面
１３３    ：第２の面
１６０    ：前カバー
１６１    ：レバー
１７０    ：製氷部
１７１    ：製氷トレイ
１７２    ：縦壁
１７２Ｘ  ：溝部
１７３    ：横壁
１７３Ｘ  ：溝部
１７４    ：製氷スペース
１７８    ：後軸
１７９    ：操作部
１８０    ：貯氷部
１９０    ：注水カップ
Ｘ        ：最高到達点
Ｙ        ：回動軌跡
【図１】
2018163453.tif 000003
【図２】
2018163453.tif 000004
【図３】
2018163453.tif 000005
【図４】
2018163453.tif 000006
【図５】
2018163453.tif 000007
【図６】
2018163453.tif 000008
【図７】
2018163453.tif 000009
【図８】
2018163453.tif 000010
【図９】
2018163453.tif 000011
【図１０】
2018163453.tif 000012
【図１１】
2018163453.tif 000013
【図１２】
2018163453.tif 000014
【図１３】
2018163453.tif 000015
【図１４】
2018163453.tif 000016
【国際調査報告】
2018163453.tif 000017
2018163453.tif 000018
2018163453.tif 000019
2018163453.tif 000020